(57)【特許請求の範囲】
【請求項１】
セキュリティ監視機能とインターホン通話機能とを備え、各住戸に設置された住宅情報盤に多重伝送線を通じて接続され、バックアップ電源を内蔵した集合住宅警報監視統合盤に、多重伝送線と電源線とを介して接続された警報監視統合盤副受信機であって、
停電となり、内蔵されるバックアップ電源により機能復旧した集合住宅警報監視統合盤より、上記電源線を通じて電源供給が開始され、上記多重伝送線を通じて停電情報を受信したときには、多重伝送線を通じての通信と火災警報以外の他の機能を停止する構成とした警報監視統合盤副受信機。
【請求項２】
請求項１において、
上記集合住宅警報監視統合盤より多重伝送線を通じて拭く復電情報を受信したときには、停電時に訂正していた火災警報以外の他の機能が実行できる構成とした警報監視統合盤副受信機。
【請求項３】
各住戸に設置され、セキュリティ監視機能とインターホン通話機能とを備え、停電時には非常電源装置から電源供給を受けて作動する住宅情報盤と、
停電時に電源供給するバックアップ電源を有し、上記の住宅情報盤に多重伝送線を介して接続され、各住戸の異常監視、各住戸への呼出、インターホン通話制御を行うための集合住宅警報監視統合盤と、
この集合住宅警報監視統合盤に、多重伝送線、電源線を通じて接続された警報監視統合盤副受信機とを組み合わせて構成された集合住宅監視通話システムにおいて、
停電時には、それぞれの住戸に設置された住宅情報盤は、上記非常電源装置より電源が供給されて全機能を復旧させるとともに、上記集合住宅警報監視統合盤には、上記バックアップ電源から電源が供給されることによって、いずれかの住宅情報盤から、火災、ガス漏れなどの異常信号を受けたときには、その異常を発生した住居番号を表示部に表示させると同時に、異常警報を出力させ、
上記警報監視統合盤副受信機は、停電となり、内蔵されるバックアップ電源により機能復旧した集合住宅警報監視統合盤より、上記電源線を通じて電源供給が開始され、上記多重伝送線を通じて停電情報を受信したときには、多重伝送線を通じての通信と火災警報以外の他の機能を停止する構成とした集合住宅監視通話システム。
【発明の詳細な説明】
【０００１】
【発明の属する技術分野】
本発明は、集合住宅警報監視統合盤と接続され、集合住宅警報監視統合盤から伝送される異常発生信号を受信して、異常を報知する警報監視統合盤副受信機の改良に関する。
【０００２】
【従来の技術】
近時、マンションなどの集合住宅では、管理人室などに集合住宅警報監視統合盤が設置されており、宿直室などでは、これとは別に警報監視統合盤副受信機が設置されている。
警報監視統合盤副受信機は、集合住宅警報監視統合盤に接続されており、集合住宅警報監視統合盤が、各住戸に設置された住宅情報盤から異常発生信号を受信して異常を報知すると、警報監視統合盤副受信機でも、異常を報知している。
【０００３】
したがって、管理人などが宿直中であっても、副受信機によって、異常発生したことが確認できるようになっている。
ところで、現在、バックアップ電源を設けた集合住宅警報監視統合盤が開発されており、この統合盤に接続され電源供給を受けて、停電時にでも動作可能とした副受信機も開発されている。
【０００４】
【発明が解決しようとする課題】
この場合、通常時は、すべての異常発生信号に対応して異常を報知し、且つ、インターホン通話機能を設けて、異常発生のあった住戸と連絡をとることのできる副受信機の開発が望ましいが、多くの機能を設ければそれだけ消費する電力も大きくなり、特に停電時においては、副受信機の消費する電力を十分に供給するためには、統合盤に設けたバックアップ電源の容量を上げる必要があり、そうすれば、バックアップ電源が大きく、且つ、重くなってしまうといった問題点がある。
【０００５】
本発明は、上記問題を解決するために提案され、あらゆる異常発生信号に対応して異常を報知し、その場で異常発生のあった住戸と連絡をとることができるインターホン機能を備え、停電時においては、最小限の機能は維持しながら、電力消費を抑えることができる警報監視統合盤副受信機を提供することを目的としている。
【０００６】
【課題を解決するための手段】
上記目的を達成するために、本発明の請求項１では、セキュリティ監視機能とインターホン通話機能とを備え、各住戸に設置された住宅情報盤に多重伝送線を通じて接続され、バックアップ電源を内蔵した集合住宅警報監視統合盤に、多重伝送線と電源線とを介して接続された警報監視統合盤副受信機であって、停電となり、内蔵されるバックアップ電源により機能復旧した集合住宅警報監視統合盤より、電源線を通じて電源供給が開始され、多重伝送線を通じて停電情報を受信したときには、多重伝送線を通じての通信と火災警報以外の他の機能を停止する構成とした。
【０００７】
請求項２は、集合住宅警報監視統合盤より多重伝送線を通じて拭く復電情報を受信したときには、停電時に訂正していた火災警報以外の他の機能が実行できる構成とした。
請求項３は、本発明の警報監視統合盤副受信機を用いて施工した集合住宅監視通話システムについて説明するものであり、各住戸に設置され、セキュリティ監視機能とインターホン通話機能とを備え、停電時には非常電源装置から電源供給を受けて作動する住宅情報盤と、停電時に電源供給するバックアップ電源を有し、上記の住宅情報盤に多重伝送線を介して接続され、各住戸の異常監視、各住戸への呼出、インターホン通話制御を行うための集合住宅警報監視統合盤と、この集合住宅警報監視統合盤に、多重伝送線、電源線を通じて接続された警報監視統合盤副受信機とを組み合わせて構成された集合住宅監視通話システムにおいて、停電時には、それぞれの住戸に設置された住宅情報盤は、非常電源装置より電源が供給されて全機能を復旧させるとともに、集合住宅警報監視統合盤には、バックアップ電源から電源が供給されることによって、いずれかの住宅情報盤から、火災、ガス漏れなどの異常信号を受けたときには、その異常を発生した住居番号を表示部に表示させると同時に、異常警報を出力させ、警報監視統合盤副受信機は、停電となり、内蔵されるバックアップ電源により機能復旧した集合住宅警報監視統合盤より、電源線を通じて電源供給が開始され、多重伝送線を通じて停電情報を受信したときには、多重伝送線を通じての通信と火災警報以外の他の機能を停止する構成とした。
【０００８】
【発明の実施の形態】
以下に、本発明の実施の形態について、図面を用いて説明する。
図１は、本発明に係る集合住宅監視通話システムの構成の一例を示すシステム構成図である。
宿直室などに設置された警報監視統合盤副受信機１は、管理人室や防災管理室などに設置された集合住宅警報監視統合盤２と、多重伝送線Ｌａと通話線Ｌｂ、更に電源線Ｌｃとを通じて接続されている。
【０００９】
更に、集合住宅警報監視統合盤２は、多重伝送線Ｌａと通話線Ｌｂとを通じて、各住戸に設置された住宅情報盤３と接続されており、各住戸に設置された住宅情報盤３には、非常電源線Ｌｄを通じて非常電源装置４が接続される一方、ドアホン子器Ｄと各種のセキュリティーセンサＳが接続されている。
このシステムにおいて、通電時には、セキュリティーサンサＳが火災などの異常を感知して、住宅情報盤３に異常信号を出力すると、それを受信した住宅情報盤３は、集合住宅警報監視統合盤２へ多重伝送線Ｌａを通じて、異常信号を出力する。
【００１０】
多重伝送線Ｌａを通じて異常信号を受信した集合住宅警報監視統合盤２は、更に多重伝送線Ｌａを通じて、異常信号を警報監視統合盤副受信機１に出力する。
異常信号を受信した警報監視統合盤副受信機１は、異常の種類や異常のあった住戸番号を表示する一方、スピーカなどを鳴動させて、異常警報を出力する。
管理人は、それを受けて、異常のあった住戸と連絡をとるなどの対処を行うことができる。
【００１１】
更に、停電時においては、一旦システムの全機能は停止してしまうが、住宅情報盤３は、非常電源装置４から電源供給を受けて全機能を復旧させる一方、住宅情報盤３に接続されているドアホン子器やセキュリティーセンサＳも全機能を復旧させる。
この時、集合住宅警報監視統合盤２は、内蔵されたバックアップ電源２１から電源供給を受けて、全機能を復旧させる一方、バックアップ電源２１から電源線Ｌｃを通じて警報監視統合盤副受信機１に電源供給を行うとともに、多重伝送線Ｌａを通じて停電情報を出力する。
【００１２】
停電情報を受信した警報監視統合盤副受信機１は、多重伝送線Ｌａを通じた各住戸などとの通信と火災警報以外の他の機能を停止させる。
こうすれば、最小限の機能は発揮される一方、集合住宅警報監視統合盤２に内蔵させたバックアップ電源２１の電力消費が抑制できる。
図２は、本発明に係る警報監視統合盤副受信機の要部構成の一例を示すブロック図である。
【００１３】
この警報監視統合盤副受信機１は、ＣＰＵ等で構成され各部を制御する信号処理部１０と、多重伝送線Ｌａを通じて集合住宅警報監視統合盤２との伝送制御を行うための多重伝送部１１と、住宅情報盤３あるいはロビーインターホン（不図示）との間で、ハンドセットＨ１による通話線Ｌｂを介した通話を制御するための通話部１２と、各種スイッチ、ボタン等で構成された操作部１３と、各住戸番号を表示する表示窓や、液晶画面、各種表示ランプなどで表示手段を構成する表示部１４と、各住宅情報盤３の状態などを記憶する記憶部１５と、スピーカＳＰから警報音を、アラームや音声メッセージなどで出力して報知手段を構成する音出力部１６と、副受信機を動作させる電源部１７とを備える。
【００１４】
信号処理部１０は、通常、多重伝送部１１によるポーリング動作で、統合盤２からの異常信号の入力がないかを監視しているが、統合盤２から多重伝送線Ｌａを通じて、異常発生のあった住戸に設置された住宅情報盤３のアドレスを付加した割り込み信号を受けたときには、そのアドレスを基にして、異常発生のあった住戸番号を表示部１４に表示する一方、音出力部１６によりスピーカＳＰから、音声メッセージなどによって異常警報を出力する。
【００１５】
また、信号処理部１０は、停電となり統合盤２から多重伝送線Ｌａを通じて停電情報を受信したときには、多重伝送線Ｌａを通じての通信と火災警報以外の他の機能を停止させる一方、統合盤２に内蔵させたバックアップ電源２１より電源部１７を通じて、電源供給させる。
更に、信号処理部１０は、復電し、統合盤２から多重伝送線Ｌａを通じて復電情報を受信したときには、停電時に停止していた多重伝送線Ｌａを通じての通信と火災警報以外の機能、すなわち、ハンドセットＨ１によるインターホン通話や、ガス漏れ警報、あるいは、防犯警報などといった諸警報も行えるようにする。
【００１６】
このように、警報監視統合盤副受信機１は、統合盤２から多重伝送線Ｌａを通じて停電情報を受信すれば、多重伝送線Ｌａを通じた通信と火災警報以外の他の機能を停止させるので、バックアップ電源２１の電力消費が抑制できる。
更に、復電情報を受信すれば、自動的に全ての機能が実行可能となるので、わざわざスイッチ操作などをして通常状態に戻すといった手間が省ける。
【００１７】
【発明の効果】
以上の説明から理解できるように、請求項１に記載の警報監視統合盤副受信機によれば、停電時には、集合住宅警報監視統合盤に内蔵されたバックアップ電源より電源供給を受けるので、このような場合にでも動作可能にできる。
しかも、集合住宅警報監視統合盤から停電情報を受信すれば、多重伝送線を通じた通信と火災警報以外の他の機能を停止させるので、最小限の機能は維持しながら、バックアップ電源の消費電力が抑制できる。
【００１８】
請求項２は、復電時には、停電時に停止していたインターホン通話、火災警報以外の他の機能を自動的に実行可能とするので、わざわざスイッチ操作などをして通常状態に戻すといった手間が省ける。
請求項３は、停電時には、住宅情報盤は、非常電源装置より電源供給を受け、集合住宅警報監視統合盤は、これに内蔵させたバックアップ電源から電源供給を受ける一方、警報監視統合盤副受信機に電源供給するので、そのような場合にでもシステムを動作可能にできる。
【００１９】
さらに、集合住宅警報監視統合盤は、異常を発生した住居番号を表示部に表示させると同時に、音声による異常警報を出力させるので、管理人がこれを受けて、迅速な対処を行うことができる。
加えて、警報監視統合盤副受信機は、集合住宅警報監視統合盤より多重伝送線を通じて停電情報を受信したときには、多重伝送線を通じての通信と火災警報以外の他の機能を停止するので、バックアップ電源の消費電力が抑制できる。
【図面の簡単な説明】
【図１】本発明に係る集合住宅監視通話システムの構成の一例を示すシステム構成図である。
【図２】本発明に係る警報監視統合盤副受信機の要部構成の一例を示すブロック図である。
【符号の説明】
１      警報監視統合盤副受信機
２      集合住宅警報監視統合盤
３      住宅情報盤
４      非常電源装置
Ｌａ    多重伝送線
Ｌｃ    電源線
【図１】
0003554953.tif 000002
【図２】
0003554953.tif 000003